【事件の表示】
　国際登録第１２０７９６０号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、「ＥＭＥＲＬＵＢＥ」の文字を書してなり、第１類及び第４類に属する日本国を指定する国際登録において指定された商品を指定商品として、２０１３年（平成２５年）９月２日にスイス国においてした商標登録出願に基づいてパリ条約第４条による優先権を主張し、２０１４年（平成２６年）２月２１日に国際商標登録出願されたものである。
　その後、指定商品については、当審における２０１５年（平成２７年）９月７日付けで国際登録簿に記録された限定の通報があった結果、第１類「Ｃｈｅｍｉｃａｌｓ　ｕｓｅｄ　ｉｎ　ｉｎｄｕｓｔｒｙ；ｃｈｅｍｉｃａｌ　ｐｒｅｐａｒａｔｉｏｎｓ　ｆｏｒ　ｓｃｉｅｎｔｉｆｉｃ　ｐｕｒｐｏｓｅｓ　（ｏｔｈｅｒ　ｔｈａｎ　ｆｏｒ　ｍｅｄｉｃａｌ　ｏｒ　ｖｅｔｅｒｉｎａｒｙ　ｕｓｅ）；ｕｎｐｒｏｃｅｓｓｅｄ　ａｒｔｉｆｉｃｉａｌ　ｒｅｓｉｎｓ，ａｄｈｅｓｉｖｅｓ　ｆｏｒ　ｕｓｅ　ｉｎ　ｉｎｄｕｓｔｒｙ；ｃｈｅｍｉｃａｌ　ｐｒｏｄｕｃｔｓ　ｍａｎｕｆａｃｔｕｒｅｄ　ｆｒｏｍ　ｒｅｎｅｗａｂｌｅ　ｒａｗ　ｍａｔｅｒｉａｌｓ，ｓｕｃｈ　ａｓ　ｎａｔｕｒａｌ　ｏｉｌｓ　ａｎｄ　ｆａｔｓ，ｎａｍｅｌｙ　ｃｏｃｏｎｕｔ　ｏｉｌｓ，ｐａｌｍ　ｏｉｌｓ　ａｎｄ／ｏｒ　ｐｌａｎｔ　ｓｅｅｄ　ｏｉｌｓ，ｓｕｎｆｌｏｗｅｒ　ｏｉｌｓ，ｒａｐｅ　ｏｉｌｓ，ｓｕｎｆｌｏｗｅｒ　ｓｅｅｄ　ｏｉｌｓ，ｓｏｙａ　ｏｉｌｓ　ａｎｄ　ｐｉｎｅ　ｏｉｌｓ；ｇｒａｆｔｉｎｇ　ｗａｘ　ｆｏｒ　ｔｒｅｅｓ；ｓｕｅｔ，ｇｌｙｃｅｒｉｎ　ａｎｄ　ｅｓｔｅｒｓ　ｏｆ　ｆａｔｔｙ　ａｃｉｄｓ；ｅｔｈｅｒ，ａｍｉｎｅｓ　ａｎｄ　ａｍｉｄｅｓ，ｎａｍｅｌｙ　ａｃｉｄ，ｄｅｒｉｖａｔｉｖｅｓ　ｏｆ　ｐｅｌａｒｇｏｎｉｕｍ　ａｃｉｄｓ，ａｌｃｏｈｏｌｉｃ　ｅｓｔｅｒｓ　ａｎｄ　ｏｒｇａｎｉｃ　ａｃｉｄｓ，ｆａｔｔｙ　ａｃｉｄｓ，ｄｅｒｉｖａｔｉｖｅｓ　ｏｆ　ｆａｔｔｙ　ａｃｉｄｓ，ｆａｔｔｙ　ａｌｃｏｈｏｌｓ，ｇｌｙｃｅｒｉｎ，ｔｒｉａｃｅｔｙｌｇｌｙｃｅｒｏｌ，ａｌｃｏｈｏｌｓ，ａｍｉｎｅｓ，ｐｏｌｙａｍｉｄｅ；ｃａｒｂｏｎｉｃ　ａｃｉｄｓ　ａｎｄ　ｃａｒｂｏｎｉｃ　ａｃｉｄ　ｄｅｒｉｖａｔｉｖｅｓ，ｎａｍｅｌｙ　ｃａｒｂｏｎｉｃ　ａｃｉｄ　ｍｅｔａｌ　ｓａｌｔｓ，ｅｔｈｏｘｙｌａｔｅｄ　ｃａｒｂｏｎｉｃ　ａｃｉｄｓ　ａｎｄ　ｄｅｒｉｖａｔｉｖｅｓ；ｇｌｙｃｅｒｉｎ−ｔｒｉａｃｅｔｉｎ；ｃｈｅｍｉｃａｌ　ｐｒｏｄｕｃｔｓ，ｎａｍｅｌｙ　ｒｅｎｅｗａｂｌｅ　ｒａｗ　ｍａｔｅｒｉａｌｓ，ｐａｒｔｉｃｕｌａｒｌｙ　ｕｓｅｄ　ａｓ　ｃｈｅｍｉｃａｌ　ｉｎｔｅｒｍｅｄｉａｔｅｓ　ｆｏｒ　ｕｓｅ　ｉｎ　ｔｈｅ　ｐｒｏｄｕｃｔｉｏｎ　ｏｆ　ａｄｄｉｔｉｖｅｓ，ｗｅｔｔｉｎｇ　ａｇｅｎｔｓ，ｓｏｌｖｅｎｔｓ　ｆｏｒ　ｒｅｍｏｖｉｎｇ　ａｄｈｅｓｉｖｅｓ；ｅｍｏｌｌｉｅｎｔｓ　ｆｏｒ　ｉｎｄｕｓｔｒｉａｌ　ｐｕｒｐｏｓｅｓ，ｃｈｅｍｉｃａｌ　ａｄｄｉｔｉｖｅｓ　ｆｏｒ　ｌｕｂｒｉｃａｎｔｓ　ａｎｄ　ｏｉｌｓ，ｒｈｅｏｌｏｇｙ　ｍｏｄｉｆｉｅｒｓ，ｓｔａｂｉｌｉｚｅｒｓ　ａｎｄ　ｆｉｘｉｎｇ　ｍｅａｎｓ　ｆｏｒ　ｓｕｂｓｔｒａｔｅｓ，ｔｈｉｃｋｅｎｅｒｓ　ｆｏｒ　ｓｏｌｕｔｉｏｎｓ，ｂｉｎｄｉｎｇ　ａｇｅｎｔｓ，ｄｉｌｕｔｉｎｇ　ａｇｅｎｔｓ，ｒｅｉｎｆｏｒｃｉｎｇ　ａｇｅｎｔｓ　ｏｒ　ｄｒｉｌｌｉｎｇ　ａｉｄｓ；ｃｈｅｍｉｃａｌ　ｐｒｏｄｕｃｔｓ　ｆｏｒ　ｐｒｅｖｅｎｔｉｎｇ　ｓｃａｌｅ　ａｎｄ　ｄｉｓｓｏｌｖｉｎｇ　ｄｅｐｏｓｉｔｓ　ｆｏｒ　ｕｓｅ　ｉｎ　ｐｉｐｅｓ　ａｎｄ　ａｃｃｅｓｓｏｒｉｅｓ　ｔｈｅｒｅｏｆ；ｃｈｅｍｉｃａｌ　ａｄｄｉｔｉｖｅｓ　ｆｏｒ　ｆｕｅｌ　ｔｒｅａｔｍｅｎｔ；ｃｈｅｍｉｃａｌ　ｆｕｅｌ　ａｄｄｉｔｉｖｅｓ；ｃｈｅｍｉｃａｌ　ａｄｄｉｔｉｖｅｓ　ｆｏｒ　ａｓｓｉｓｔｉｎｇ　ｗａｔｅｒ　ｔｒｅａｔｍｅｎｔ；ｃｈｅｍｉｃａｌ　ａｇｅｎｔｓ　ｆｏｒ　ａｃｔｉｖａｔｉｎｇ　ｗａｔｅｒ　ｆｉｌｔｅｒｓ；ｃｈｅｍｉｃａｌ　ｓｏｌｖｅｎｔｓ　ｆｏｒ　ｓｏｌｖｅｎｔｓ　ｏｆ　ｏｒｇａｎｉｃ　ｍａｔｅｒｉａｌｓ；ｃｈｅｍｉｃａｌ　ｉｎｔｅｒｍｅｄｉａｔｅｓ　ｆｏｒ　ｔｈｅ　ｐｒｏｄｕｃｔｉｏｎ　ｏｆ　ｃａｔａｌｙｓｔｓ，ｓｏｄｉｕｍ　ｓｉｌｉｃａｔｅ；ｃｈｅｍｉｃａｌ　ｐｒｏｄｕｃｔｓ　ｆｏｒ　ａｎｔｉｆｒｅｅｚｅ　ｆｌｕｉｄｓ，ｃｏｒｒｏｓｉｖｅ　ｍｏｒｄａｎｔｓ　ｆｏｒ　ｍｅｔａｌｓ，ｒｕｓｔ−ｐｒｏｏｆｉｎｇ　ａｇｅｎｔｓ，ｅｍｕｌｓｉｆｙｉｎｇ　ａｇｅｎｔｓ　ｆｏｒ　ｔｅｃｈｎｉｃａｌ　ｐｕｒｐｏｓｅｓ；ｃｈｅｍｉｃａｌｓ　ｆｏｒ　ｕｓｅ　ｉｎ　ｗａｔｅｒ　ａｎｄ　ｏｉｌ　ｄｉｓｔｒｉｂｕｔｉｏｎ　ｓｙｓｔｅｍｓ；ｃｈｅｍｉｃａｌ　ｐｒｏｄｕｃｔｓ，ｐａｒｔｉｃｕｌａｒｌｙ　ａｎｔｉ−ｆｏａｍ　ａｇｅｎｔｓ；ｃｈｅｍｉｃａｌ　ｐｒｏｄｕｃｔｓ　ｆｏｒ　ｗａｓｈｉｎｇ　ｒａｗ　ｍａｔｅｒｉａｌｓ；ｃｈｅｍｉｃａｌ　ｐｒｅｐａｒａｔｉｏｎｓ　ｆｏｒ　ｉｍｐｒｅｇｎａｔｉｎｇ　ｐａｐｅｒ　ａｎｄ　ｔｅｘｔｉｌｅｓ　ｆｏｒ　ｕｓｅ　ａｓ　ａ　ｍｅａｎｓ　ｏｆ　ｐｒｏｔｅｃｔｉｏｎ　ａｇａｉｎｓｔ　ｆｌａｍｅｓ　ａｎｄ　ｃａｔａｌｙｓｔｓ；ｍｉｎｅｒａｌ　ｒａｗ　ｍａｔｅｒｉａｌｓ；ｂｏｒａｘ；ｇｌｙｃｅｒｉｎ；ｒｅｓｉｎｓ；ａｄｈｅｓｉｖｅｓ　ｆｏｒ　ｉｎｄｕｓｔｒｉａｌ　ｐｕｒｐｏｓｅｓ；ｂｉｎｄｉｎｇ　ａｇｅｎｔｓ．」とされたものである。
２　原査定の拒絶の理由
　原査定は、以下の（１）ないし（３）のとおり判断し、本願を拒絶したものである。
　（１）本願は、その指定商品中、第１類及び第４類において指定する商品には、その内容及び範囲を明確に指定したものとは認められない商品が含まれているから、商標法第６条第１項の要件を具備しない。
　（２）商標登録を受けることができる商標は、現在使用しているもの又は近い将来使用をするものであると解されるところ、本願において指定する第１類に属する商品について、広い範囲にわたる商品を指定しているため、出願人が本願商標をそれらの商品のいずれにも使用しているか又は近い将来使用をすることについて疑義があるものである。したがって、本願商標は、商標法第３条第１項柱書の要件を具備していない。
　（３）本願商標は、登録第１８０５３３１号商標及び登録第５２０９４０７号商標（以下、まとめて「引用商標」という。）と類似の商標であって、同一又は類似の商品について使用するものであるから、商標法第４条第１項第１１号に該当する。
３　当審の判断
　（１）商標法第６条第１項について
　本願は、その指定商品について、前記１のとおり限定がなされた結果、商品の内容及び範囲が明確となった。
　（２）商標法第３条第１項柱書について
　本願商標は、その指定商品について、前記１のとおり限定がなされた結果、本願商標を使用しているか又は近い将来使用することについて疑義がなくなった。
　（３）商標第４条第１項第１１号について
　本願商標は、その指定商品について、前記１のとおり限定がなされた結果、引用商標の指定商品と同一又は類似の商品はすべて削除され、本願商標の指定商品と引用商標の指定商品とは類似しないものとなった。
　（４）まとめ
　以上のとおり、本願が商標法第６条第１項の要件を具備しないものとし、また、本願商標が同法第３条第１項柱書の要件を具備せず、かつ、同法第４条第１項第１１号に該当するとした原査定の拒絶の理由は、解消した。
　その他、本願について拒絶の理由を発見しない。
　よって、結論のとおり審決する。